(57)【要約】【課題】エレベータケージを、常に安定した支持状態で昇降させることができるとともに、構造を単純化でき、また建物の躯体とは独立させて躯体部分への負荷を回避できる、一般の低層住宅向きのエレベータ装置を提供する。【解決手段】基盤１上に４本の支柱３を立て、これらの間を梁材４で連結して、建物の躯体とは独立して自立できる縦長枠のエレべータシャフト１が構成され、このエレべータシャフト１の枠内で平面三角形の三頂点に位置する配置関係にして３本の昇降案内レール６が梁材４に支持して設立され、エレベータケージ２２を載置した三角形のエレベータ架台７が、その三点の角部を３本の昇降案内レール６に滑動自在に支承することにより、これら３本の昇降案内レール６間に昇降自在に装架されるとともに、昇降用チェーン１１にてエレべータシャフトの上部より懸垂され、この昇降用チェーンを昇降用モータで駆動することにより、エレベータ架台７が３本の昇降案内レール６に案内されてエレベータケージ２２と共に昇降される。【選択図】　図６
2004043060.tif 000002
【特許請求の範囲】
【請求項１】
基盤上に４本の支柱を立て、これらの間を梁材で連結して、建物の躯体とは独立して自立できる縦長枠のエレべータシャフトが構成され、このエレべータシャフトの枠内で平面三角形の三頂点に位置する配置関係にして３本の昇降案内レールが前記梁材に支持して設立され、エレベータケージを載置した三角形のエレベータ架台が、その三点の角部を前記３本の昇降案内レールに滑動自在に支承することにより、これら３本の昇降案内レール間に昇降自在に装架されるとともに、昇降用チェーンにてエレべータシャフトの上部より懸垂され、この昇降用チェーンを昇降用モータで駆動することにより、エレベータ架台が３本の昇降案内レールに案内されてエレベータケージと共に昇降されるようになっていることを特徴とするエレベータ装置。
【請求項２】
エレベータ架台が、三角形の枠体であることを特徴とする請求項１に記載のエレベータ装置。
【請求項３】
昇降用チェーンを各昇降案内レール中に複数本ずつ通してエレベータ架台を懸垂したことを特徴とする請求項１又は２に記載のエレベータ装置。
【請求項４】
エレベータ架台が、昇降用チェーンにてカウンタウェイトと連結して懸垂されていることを特徴とする請求項１、２又は３に記載のエレベータ装置。
【発明の詳細な説明】
【０００１】
【発明の属する技術分野】
本発明は、エレベータケージをチェーンで懸垂して昇降させる一般の低層住宅向きのエレベータ装置に関する。
【０００２】
【従来の技術】
この種のエレベータ装置の一つとして特開平１０−３２４４７８号公報に記載されたものがある。このエレベータ装置では、両側面に案内溝を有する１本のガイド支柱を建物内に立て、エレベータケージ（乗りかご）の背面に、ローラとチェーン装着部を有する係合装置を設け、そのローラを、ガイド支柱の両側面の案内溝内に転動可能に嵌合させることで、エレベータケージを１本のガイド支柱に片持ち支持し、無端状の駆動チェーンの循環動によりエレベータケージをガイド支柱に沿って昇降させるようになっている。
【０００３】
【発明が解決しようとする課題】
しかし、これによると、エレベータケージを、その背面で１本のガイド支柱に係合装置を介して片持ち支持しているため、エレベータケージの重量を片側だけで支える不安定な支持構造となり、エレベータケージの積載重量が増すに従い不安定さが増大する。そのため、ガイド支柱及び係合装置を堅牢にしなければならず、その分、却ってこれらの構造が複雑になる。また、建物の躯体とは独立したエレベータ装置ではないので、建物の躯体部分に負荷がかかる等の問題がある。
【０００４】
そこで、本発明の目的は、エレベータケージを、常に安定した支持状態で昇降させることができるとともに、構造を単純化でき、また建物の躯体とは独立させて躯体部分への負荷を回避できる、一般の低層住宅向きのエレベータ装置を提供することにある。
【０００５】
【課題を解決するための手段】
本発明のエレベータ装置は、基盤上に４本の支柱を立て、これらの間を梁材で連結して、建物の躯体とは独立して自立できる縦長枠のエレべータシャフトが構成され、このエレべータシャフトの枠内で平面三角形の三頂点に位置する配置関係にして３本の昇降案内レールが梁材に支持して設立され、エレベータケージを載置した三角形のエレベータ架台が、その三点の角部を３本の昇降案内レールに滑動自在に支承することにより、これら３本の昇降案内レール間に昇降自在に装架されるとともに、昇降用チェーンにてエレべータシャフトの上部より懸垂され、この昇降用チェーンを昇降用モータで駆動することにより、エレベータ架台が３本の昇降案内レールに案内されてエレベータケージと共に昇降されるようになっている。
【０００６】
エレベータ架台は三角形の枠体でよい。
昇降用チェーンを各昇降案内レール中に複数本ずつ通してエレベータ架台を懸垂すれば、安全性が高まる。
エレベータ架台は、昇降用チェーンにてカウンタウェイトと連結して懸垂することで、エレベータ架台及びエレベータケージの重量をカウンタウェイトにて相殺又は軽減できる。
【０００７】
【発明の実施の形態】
次に、本発明の実施の形態を図面に基づいて詳細に説明する。
【０００８】
図１〜図７に示すように、このエレベータ装置のエレべータシャフト１は、基盤２上に４本の支柱３を正方形の４点に位置する配置関係にして垂直に立て、これら４本の支柱３の上端及び中途の数箇所を梁材４及びブレース５で連結して、建物の躯体とは独立して自立できる縦長枠としたものである。
【０００９】
このエレべータシャフト１の枠内には、鍔付き溝形の型材である３本の昇降案内レール６が、平面三角形の三頂点に位置する配置関係にして梁材４に支持して垂直に設立されている。
【００１０】
これら３本の昇降案内レール６間に、エレベータ架台７が次のように昇降自在に装架されている。
すなわち、エレベータ架台７は、Ｉ型鋼又はＨ型鋼を枠組みした図６に示すような三角形の枠体であって、その三点の角部に軸支したローラ８を、３本の昇降案内レール６の溝内にそれぞれ転動自在に嵌合させることにより、つまり三点の角部を３本の昇降案内レール８に滑動自在に支承することにより、これら昇降案内レール６間に昇降自在に装架されている。なお、エレベータ架台７は平面三角形の板状でもよい。
【００１１】
図８及び図９に、エレベータ架台７の１点の角部と１本の昇降案内レール６との関係を具体的に示し、他の２点もこれと同じ構造になっている。同図に示すように、ローラ８は、エレベータ架台７上に立てたブラケット（鉄板）９の中途に、ダブルローラにして回転自在に軸支されている。このブラケット９には、チェーン接続金具１０にて昇降用チェーン１１が昇降案内レール６中で接続されている。チェーン１１は、各昇降案内レール６について２本ずつのダブルチェーンとなっており、チェーン接続金具１０のボルト１２をブラケット９の水平な接続部９ａにナット１２ａで緊締することにより、ブラケット９と接続されている。
【００１２】
このようなチェーン１１との接続が３本の昇降案内レール６のそれぞれについて行われていることにより、エレベータ架台７は、昇降案内レール６中を通るチェーン１１にてエレべータシャフト１の上部から３点で懸垂され、チェーン駆動にて昇降される。
【００１３】
図１０及び図１１に、チェーン１１による懸垂構造及び駆動構造を示し、チェーン１１による懸垂及び駆動は、エレべータシャフト１の上端から下へ２番目の梁材４上において行われる。エレベータ架台７のブラケット９から各昇降案内レール６を通ってきた２本ずつのチェーン１１は、ダブルの架台懸垂用スプロケットホイール１３、駆動用スプロケットホイール１４、案内用スプロケットホイール１５、ウェイト懸垂用スプロケットホイール１６を経由してカウンタウェイト１７へ接続されている。
【００１４】
駆動用スプロケットホイール１４は、３組共通の駆動軸１８に固着されている。この駆動軸１８のウォーム１９は、昇降用モータ２０側のウォーム２１と噛み合っているので、３組の駆動用スプロケットホイール１４は昇降用モータ２０の正転又は逆転により同時に回転する。
【００１５】
従って、エレベータ架台７は、３組のチェーン１１により懸垂されて昇降用モータ２０の正転又は逆転により３本の昇降案内レール６に沿って上昇又は下降し、それに伴いカウンタウェイト１７が下降又は上昇する。
【００１６】
このように昇降するエレベータ架台７上に、図３及び図６に仮想線で示すエレベータケージ２２が載置され、エレベータ架台７と共に昇降する。
【００１７】
エレべータシャフト１の基盤２の上面には、エレベータ架台７を下限で緩衝するショックアブソーバ２３が例えば３箇所に設置されている。
【００１８】
【発明の効果】
以上述べたように本発明のエレベータ装置によれば次のような効果がある。
▲１▼　エレベータケージを載置した三角形のエレベータ架台の３点の角部を、エレべータシャフトの枠内で平面三角形の三頂点に位置する配置関係にした３本の昇降案内レールに滑動自在に支承したので、チェーンで懸垂した簡略な構造でも、エレベータケージを常に安定した状態で昇降させることができる。
【００１９】
▲２▼　エレべータシャフトは、基盤上に４本の支柱を立て、これらの間を梁材で連結して、建物の躯体とは独立して自立できる縦長枠であるので、建物の躯体部分への負荷を回避できるとともに、構築も容易である。
【００２０】
▲３▼　エレベータ架台を三角形の枠体とすることにより、構成を簡略化できる。
▲４▼　各昇降案内レール中に昇降用チェーンを複数本ずつ通してエレベータ架台を懸垂すれば、安全性が高まる。
▲５▼　エレベータ架台を昇降用チェーンにて懸垂してカウンタウェイトと連結することで、エレベータ架台及びエレベータケージの重量をカウンタウェイトにて相殺又は軽減できる。
【図面の簡単な説明】
【図１】本発明の実施例であるエレベータ装置の正面図である。
【図２】その側面図である。
【図３】縦断面図である。
【図４】平面図である。
【図５】図１におけるＡ−Ａ線位置の横断面図である。
【図６】同じくＢ−Ｂ線位置の横断面図である。
【図７】同じくＣ−Ｃ線位置の横断面図である。
【図８】エレベータ架台の１点の角部と１本の昇降案内レールとの関係を具体的に示す一部分の拡大縦断面図である。
【図９】同じく拡大横断面図である。
【図１０】チェーンによる懸垂構造及び駆動構造を示す拡大正面図である。
【図１１】同じく拡大側面図である。
【符号の説明】
１　エレべータシャフト
２　基盤
３　支柱
４　梁材
５　ブレース
６　昇降案内レール
７　エレベータ架台
８　ローラ
９　ブラケット
９ａ　接続部
１０　チェーン接続金具
１１　昇降用チェーン
１２　ボルト
１２ａ　ナット
１３　架台懸垂用スプロケットホイール
１４　駆動用スプロケットホイール
１５　案内用スプロケットホイール
１６　ウェイト懸垂用スプロケットホイール
１７　カウンタウェイト
１８　駆動軸
１９　ウォーム
２０　昇降用モータ
２１　ウォーム
２２　エレベータケージ
２３　ショックアブソーバ
【図１】
2004043060.tif 000003
【図２】
2004043060.tif 000004
【図３】
2004043060.tif 000005
【図４】
2004043060.tif 000006
【図５】
2004043060.tif 000007
【図６】
2004043060.tif 000008
【図７】
2004043060.tif 000009
【図８】
2004043060.tif 000010
【図９】
2004043060.tif 000011
【図１０】
2004043060.tif 000012
【図１１】
2004043060.tif 000013